(57)【要約】【課題】カムのスライド動作によってギャップを調整するギャップ調整手段を備えた記録装置において意図しないギャップの変化を抑制する。【解決手段】記録装置は、記録ヘッドを備え、記録ヘッドの走査方向に移動可能なキャリッジと、キャリッジをガイドするガイド部材と、ギャップが変化する方向に筐体を変位させるギャップ調整手段と、ギャップ調整手段と係合し、ギャップ調整手段にギャップ切り換えを実行させる切換部材とを備え、ギャップ調整手段は摺動部材と、筐体と摺動部材に対してスライドすることにより筐体をギャップが変化する方向に変位させるカム部材と、カム部材の筐体及び摺動部材に対する相対的な変位を規制する規制状態と、カム部材の筐体及び摺動部材に対する相対的な変位を許容する許容状態とを切り換え可能であり、少なくとも切換部材と係合しない状態では規制状態に保持される規制部材とを備える。【選択図】図５
2018016003.tif 000002
【特許請求の範囲】
【請求項１】
媒体に記録を行う記録ヘッドを備え、当該記録ヘッドの走査方向に移動可能なキャリッジと、
前記キャリッジを前記走査方向にガイドするガイド部材と、
前記キャリッジの筐体と前記ガイド部材との間に介在し、媒体を支持する支持面と前記記録ヘッドとの間のギャップが変化する方向に前記キャリッジの筐体を変位させる、前記キャリッジに設けられたギャップ調整手段と、
前記キャリッジの移動動作に伴う前記ギャップ調整手段の移動領域に対して進退可能であり、前記移動領域に進出することにより前記ギャップ調整手段と係合し、前記ギャップ調整手段にギャップ切り換えを実行させる切換部材と、を備え、
前記ギャップ調整手段は、前記ガイド部材に対して摺動する摺動部材と、
前記筐体の一部と前記摺動部材との間に介在し、前記筐体と前記摺動部材に対して前記走査方向に相対的にスライドすることにより前記キャリッジの筐体を前記ギャップが変化する方向に変位させる形状を備えたカム部材と、
前記カム部材の前記筐体及び前記摺動部材に対する相対的な変位を規制する規制状態と、前記カム部材の前記筐体及び前記摺動部材に対する相対的な変位を許容する許容状態と、を切り換え可能であり、少なくとも前記切換部材と係合しない状態では前記規制状態に保持される規制部材と、を備える、
を備えたことを特徴とする記録装置。
【請求項２】
請求項１に記載の記録装置において、前記規制部材は、付勢手段によって前記規制状態に向けて付勢されている、
ことを特徴とする記録装置。
【請求項３】
請求項１または請求項２に記載の記録装置において、前記摺動部材は、前記規制部材を受け入れる受け入れ部を前記ギャップの段階毎に備え、
前記規制部材が、前記カム部材に形成された挿通部を通って前記受け入れ部に入り込むことにより、前記カム部材の前記筐体及び前記摺動部材に対する相対的な変位を規制する、
ことを特徴とする記録装置。
【請求項４】
請求項１から請求項３のいずれか一項に記載の記録装置において、前記規制部材は、前記カム部材に設けられているとともに、前記切換部材と係合する係合部を備え、
前記規制部材が前記切換部材と係合した状態で前記キャリッジが移動することにより、前記規制部材が前記カム部材をスライドさせる構成を備える、
ことを特徴とする記録装置。
【請求項５】
請求項４に記載の記録装置において、前記係合部は傾斜面を有し、前記切換部材に前記傾斜面が当接した状態で前記キャリッジが移動することにより、前記規制部材が前記規制状態から前記許容状態に切り換わる構成を備える、
ことを特徴とする記録装置。
【請求項６】
請求項１から請求項５のいずれか一項に記載の記録装置において、前記記録ヘッドをキャップするキャップ部を有するキャップユニットを備え、
前記キャップユニットは、前記キャリッジの移動方向に沿って移動することにより、前記キャップ部が前記記録ヘッドに対して進退動作するとともに、前記キャリッジによって押されることにより、前記キャップ部が前記記録ヘッドに押し当たる構成を有する、
ことを特徴とする記録装置。
【発明の詳細な説明】
【技術分野】
【０００１】
本発明は、媒体に記録を行う記録装置に関する。
【背景技術】
【０００２】
従来、記録装置では媒体の一例としての記録用紙の厚み応じて記録ヘッドの高さ位置（記録用紙を支持する支持部材（プラテン）と記録ヘッドとの間のギャップ）を調整可能な構成が採用されている。  
ギャップ調整手段の構成として、特許文献１に示される様に、キャリッジを移動方向にガイドするガイド部材に対して摺動する摺動部材と、キャリッジの筐体と摺動部材との間に介在し、キャリッジの筐体と摺動部材に対して相対的にスライドすることによりキャリッジの筐体をギャップが変化する方向に変位させる形状を備えたカム部材と、を備えて構成されたものがある。カム部材は階段状のカム形状を有しており、ギャップを段階的に切り換える様に構成されている。
【先行技術文献】
【特許文献】
【０００３】
【特許文献１】特開２０１４−０１４９３８号公報
【発明の概要】
【発明が解決しようとする課題】
【０００４】
上記ギャップ調整手段の構成において、カム部材は、キャリッジの荷重を介してキャリッジの筐体と摺動部材との間に挟まれた状態となっている。記録用紙への記録中は、キャリッジの荷重がカム部材に最大限掛かる為、カム部材は意図しない動き、即ちギャップ変化方向へのスライド変位は抑えられ、つまり意図しないギャップの変化は生じ難い状態となっている。
【０００５】
しかしながら記録装置には、記録ヘッドを下から押し上げる様にして記録ヘッドを封止するキャップが設けられている。その為、記録ヘッドがキャップされた状態では、上記カム部材に掛かるキャリッジの荷重が減少する。そしてこの状態でキャリッジが移動を開始すると、慣性によってカム部材がキャリッジと同期して移動せず、その結果カム部材がキャリッジに対して相対的に変位してしまい、即ち意図しないギャップの変化が発生する場合がある。
【０００６】
そこで本発明はこの様な問題に鑑み成されたものであり、その目的は、カムのスライド動作によってギャップを調整するギャップ調整手段を備えた記録装置において、意図しないギャップの変化を抑制することにある。
【課題を解決するための手段】
【０００７】
上記課題を解決する為の、本発明の第１の態様に係る記録装置は、媒体に記録を行う記録ヘッドを備え、当該記録ヘッドの走査方向に移動可能なキャリッジと、前記キャリッジを前記走査方向にガイドするガイド部材と、前記キャリッジの筐体と前記ガイド部材との間に介在し、媒体を支持する支持面と前記記録ヘッドとの間のギャップが変化する方向に前記キャリッジの筐体を変位させる、前記キャリッジに設けられたギャップ調整手段と、前記キャリッジの移動動作に伴う前記ギャップ調整手段の移動領域に対して進退可能であり、前記移動領域に進出することにより前記ギャップ調整手段と係合し、前記ギャップ調整手段にギャップ切り換えを実行させる切換部材と、を備え、前記ギャップ調整手段は、前記ガイド部材に対して摺動する摺動部材と、前記筐体の一部と前記摺動部材との間に介在し、前記筐体と前記摺動部材に対して前記走査方向に相対的にスライドすることにより前記キャリッジの筐体を前記ギャップが変化する方向に変位させる形状を備えたカム部材と、前記カム部材の前記筐体及び前記摺動部材に対する相対的な変位を規制する規制状態と、前記カム部材の前記筐体及び前記摺動部材に対する相対的な変位を許容する許容状態と、を切り換え可能であり、少なくとも前記切換部材と係合しない状態では前記規制状態に保持される規制部材とを備えることを特徴とする。
【０００８】
本態様によれば、摺動部材と、カム部材と、を備えて構成されたギャップ調整手段は、キャリッジの筐体及び前記摺動部材に対する前記カム部材の相対的な変位を規制する規制部材を備えるので、前記カム部材に対して前記キャリッジの荷重が最大限掛からない状態であっても、前記カム部材の意図しないスライド動作（キャリッジの筐体及び前記摺動部材に対する相対的なスライド動作）、即ち意図しないギャップの切り換わりを抑制できる。
【０００９】
本発明の第２の態様は、第１の態様において、前記規制部材は、付勢手段によって前記規制状態に向けて付勢されていることを特徴とする。  
本態様によれば、前記規制部材は、付勢手段によって前記規制状態に向けて付勢されているので、前記カム部材の意図しないスライド動作（キャリッジの筐体及び前記摺動部材に対する相対的なスライド動作）、即ち意図しないギャップの切り換わりを、より確実に防止できる。
【００１０】
本発明の第３の態様は、第１のまたは第２の態様において、前記摺動部材は、前記規制部材を受け入れる受け入れ部を前記ギャップの段階毎に備え、前記規制部材が、前記カム部材に形成された挿通部を通って前記受け入れ部に入り込むことにより、前記カム部材の前記筐体及び前記摺動部材に対する相対的な変位を規制することを特徴とする。  
本態様によれば、簡易な構造で、前記カム部材を前記摺動部材に対して固定することができる。
【００１１】
本発明の第４の態様は、第１から第３の態様のいずれかにおいて、前記規制部材は、前記カム部材に設けられているとともに、前記切換部材と係合する係合部を備え、前記規制部材が前記切換部材と係合した状態で前記キャリッジが移動することにより、前記規制部材が前記カム部材をスライドさせる構成を備えることを特徴とする。
【００１２】
本態様によれば、前記規制部材が、前記切換部材と係合して前記カム部材をスライドさせる機能を担うので、前記切換部材と係合して前記カム部材をスライドさせる専用の部材を別途設ける必要がなく、部品点数の抑制により装置のコストアップを抑制できる。
【００１３】
本発明の第５の態様は、第４の態様において、前記係合部は傾斜面を有し、前記切換部材に前記傾斜面が当接した状態で前記キャリッジが移動することにより、前記規制部材が前記規制状態から前記許容状態に切り換わる構成を備えることを特徴とする。
【００１４】
本態様によれば、前記係合部は傾斜面を有し、前記切換部材に前記傾斜面が当接した状態で前記キャリッジが移動することにより、前記規制部材が前記規制状態から前記許容状態に切り換わる構成を備えるので、前記キャリッジの移動動作によって前記規制部材の状態切り換えを行うことができ、前記規制部材の状態切り換えを行う専用の動力源が不要となり、部品点数の抑制により装置のコストアップを抑制できる。
【００１５】
本発明の第６の態様は、第１から第５の態様のいずれかにおいて、前記記録ヘッドをキャップするキャップ部を有するキャップユニットを備え、前記キャップユニットは、前記キャリッジの移動方向に沿って移動することにより、前記キャップ部が前記記録ヘッドに対して進退動作するとともに、前記キャリッジによって押されることにより、前記キャップ部が前記記録ヘッドに押し当たる構成を有することを特徴とする。
【００１６】
本態様によれば、前記キャップ部が前記記録ヘッドをキャップした状態で前記記録ヘッドが動く期間が形成される構成であり、即ち前記カム部材に対して前記キャリッジの荷重が最大限掛からない状態で前記キャリッジが動作する期間が形成される構成である為、前記カム部材の意図しない動き（キャリッジの筐体及び前記摺動部材に対する前記カム部材の相対的なスライド動作）が生じる虞があるが、上述した第１の態様の作用により、前記規制部材によって前記カム部材の変位が規制されるので、上述の問題を回避できる。
【図面の簡単な説明】
【００１７】
【図１】本発明に係るプリンターの外観斜視図。
【図２】本発明に係るプリンターにおける媒体搬送経路を示す側断面図。
【図３】本発明に係るキャリッジとガイド手段との関係を示す斜視図。
【図４】本発明に係るキャリッジの斜視図。
【図５】本発明に係るギャップ調整手段と切換部材とが離間している状態を示す斜視図。
【図６】ギャップ調整手段及び切換部材の分解斜視図。
【図７】ギャップ調整手段の摺動部材を示す斜視図。
【図８】ギャップ調整手段のカム部材の装置奥行き方向背面側を示す斜視図。
【図９】ギャップ調整手段のカム部材の装置奥行き方向前面側を示す斜視図。
【図１０】ギャップ調整手段の規制部材を示す斜視図。
【図１１】ギャップ調整手段の移動領域から退避した状態の切換部材を示す側面図。
【図１２】ギャップ調整手段の移動領域に進出した状態の切換部材を示す側面図。
【図１３】ギャップ調整手段と切換部材とが係合している状態を示す斜視図。
【図１４】ギャップ調整手段と切換部材とが係合している状態を示す平面図。
【図１５】図１４におけるＡ−Ａ断面の斜視図。
【図１６】規制部材の規制解除状態を示す平面図。
【図１７】規制部材の規制解除状態において摺動部材をカム部材に対して相対移動させた状態を示す平面図。
【図１８】規制部材の規制解除状態において摺動部材をカム部材に対して相対移動させた状態を示す側面図。
【図１９】キャリッジの移動領域のホームポジションにおけるキャップユニットを示す正面図。
【図２０】キャリッジの記録ヘッドがキャップ部によりキャップされていない状態におけるギャップ調整手段を示す正面図。
【図２１】キャリッジがホームポジションに位置した状態において、キャップユニットにより記録ヘッドがキャップされた状態を示す正面図。
【図２２】キャリッジの記録ヘッドがキャップ部によりキャップされた状態におけるギャップ調整手段を示す正面図。
【図２３】実施例の変更例におけるスライダ部材を示す斜視図。
【図２４】ギャップ調整手段の変更例を示す斜視図。
【発明を実施するための形態】
【００１８】
以下、本発明の実施の形態を図面に基づいて説明する。尚、各実施例において同一の構成については、同一の符号を付し、最初の実施例においてのみ説明し、以後の実施例においてはその構成の説明を省略する。
【００１９】
図１は本発明に係るプリンターの外観斜視図であり、図２は本発明に係るプリンターにおける媒体搬送経路を示す側断面図であり、図３は本発明に係るキャリッジとガイド手段との関係を示す斜視図であり、図４は本発明に係るキャリッジの斜視図であり、図５は本発明に係るギャップ調整手段と切換部材とが離間している状態を示す斜視図である。
【００２０】
図６はギャップ調整手段及び切換部材の分解斜視図であり、図７はギャップ調整手段の摺動部材を示す斜視図であり、図８はギャップ調整手段のカム部材の装置奥行き方向背面側を示す斜視図であり、図９はギャップ調整手段のカム部材の装置奥行き方向前面側を示す斜視図であり、図１０はギャップ調整手段の規制部材を示す斜視図である。
【００２１】
図１１はギャップ調整手段の移動領域から退避した状態の切換部材を示す側面図であり、図１２はギャップ調整手段の移動領域に進出した状態の切換部材を示す側面図であり、図１３はギャップ調整手段と切換部材とが係合している状態を示す斜視図であり、図１４はギャップ調整手段と切換部材とが係合している状態を示す平面図であり、図１５は図１４におけるＡ−Ａ断面の斜視図である。
【００２２】
図１６は規制部材の規制解除状態を示す平面図であり、図１７は規制部材の規制解除状態において摺動部材をカム部材に対して相対移動させた状態を示す平面図であり、図１８は規制部材の規制解除状態において摺動部材をカム部材に対して相対移動させた状態を示す側面図であり、図１９はキャリッジの移動領域のホームポジションにおけるキャップユニットを示す正面図であり、図２０はキャリッジの記録ヘッドがキャップ部によりキャップされていない状態におけるギャップ調整手段を示す正面図である。
【００２３】
図２１はキャリッジがホームポジションに位置した状態において、キャップユニットにより記録ヘッドがキャップされた状態を示す正面図であり、図２２はキャリッジの記録ヘッドがキャップ部によりキャップされた状態におけるギャップ調整手段を示す正面図であり、図２３は実施例の変更例におけるスライダ部材を示す斜視図であり、図２４はギャップ調整手段の変更例を示す斜視図である。
【００２４】
また、各図において示すＸ−Ｙ−Ｚ座標系はＸ方向がキャリッジの主走査方向（移動方向）、すなわち記録装置の幅方向、Ｙ方向が記録装置の奥行き方向、Ｚ方向が装置高さ方向を示している。尚、各図において＋Ｘ方向側を装置左側とし、−Ｘ方向側を装置右側とし、−Ｙ方向を装置前面側とし、＋Ｙ方向側を装置背面側とし、＋Ｚ軸方向側を装置上方側とし、−Ｚ軸方向側を装置下方側とする。
【００２５】
■■■第１の実施例■■■■
＜＜＜プリンターの概要＞＞＞
図１及び図２を参照するに、プリンター１０は、装置本体１２と、スキャナ部１４とを備えている。装置本体１２の装置奥行き方向前面側には操作パネル１６が設けられている。操作パネル１６には、プリンター１０を操作するための入力ボタンやプリンター１０の情報を表示するための表示パネルが設けられている。
【００２６】
また、装置本体１２の装置奥行き方向前面側において操作パネル１６の下方には、装置本体１２内から装置奥行き方向前面側に向けて媒体Ｐを排出する排出口１８が設けられている。また、装置本体１２において排出口１８の下方には、媒体収容部２０が設けられている。媒体収容部２０は装置本体１２に対して、装置奥行き方向前面側から着脱可能に取り付けられている。媒体収容部２０は、箱状に形成され、その内部に複数の媒体が収容可能である。
【００２７】
＜＜＜媒体搬送経路について＞＞＞
次いで、図２及び図３を参照して装置本体１２における媒体の媒体搬送経路２２について説明する。図２において符号Ｐが付された太い実線は、媒体収容部２０から排出口１８までの媒体搬送経路２２に沿って搬送される媒体の案内経路を示している。
【００２８】
装置本体１２内には、媒体搬送経路２２に沿ってピックアップローラー２４、反転ローラー２６、従動ローラー２８ａ、２８ｂ、搬送ローラー対３０、キャリッジ３２及び排出ローラー３４の順に設けられている。ピックアップローラー２４は、回動軸３６を支点に回動可能に、媒体収容部２０の上方に配置されている。そして、ピックアップローラー２４により媒体収容部２０から給送された媒体は、反転ローラー２６と従動ローラー２８ａ、２８ｂとにニップされて、搬送ローラー対３０に搬送される。
【００２９】
搬送ローラー対３０は媒体をキャリッジ３２に向けて搬送する。図３に示すように装置奥行き方向においてキャリッジ３２の背面側には、装置幅方向に延びる、「ガイド手段」としてのガイド部材３８が設けられている。ガイド部材３８には、キャリッジ３２を「所定方向」である装置幅方向に案内するガイド面３８ａ、３８ｂが設けられている。また、ガイド部材３８には、キャリッジ駆動手段４０が設けられている。
【００３０】
キャリッジ駆動手段４０は、一例として駆動プーリー４２（図１９参照）と、従動プーリー４４と、駆動ベルト４６とを備えている。そして、駆動ベルト４６は駆動プーリー４２と従動プーリー４４とに掛け回されている。また、駆動ベルト４６の一部がキャリッジ３２に把持されている。駆動プーリー４２が、不図示の駆動源により回転駆動させられると、駆動ベルト４６も駆動プーリー４２の回転方向に倣って回転駆動する。これにより、キャリッジ３２は、駆動ベルト４６の移動方向に移動させられる。したがって、キャリッジ３２は、装置幅方向に往復動可能に構成されている。また、キャリッジ３２の下部には、記録ヘッド４８が設けられている。記録ヘッド４８は装置高さ方向下方側に向けて、「液体」としてのインクを吐出するように構成されている。
【００３１】
また、記録ヘッド４８の下方において、記録ヘッド４８と対向する領域に、「媒体を支持する支持面」としての媒体支持部材５０が設けられている。媒体支持部材５０は、記録ヘッド４８と対向し、記録ヘッド４８とギャップＰＧをおいて配置されている。媒体支持部材５０は、搬送ローラー対３０により記録ヘッド４８と対向する領域に搬送されてきた媒体の下面（記録面と反対側の面）を支持する。そして、記録ヘッド４８は、媒体支持部材５０により支持された媒体に対してインクを吐出し、媒体の記録面に記録を実行する。
【００３２】
そして、記録が実行された媒体は、キャリッジ３２の搬送方向下流側に設けられた排出ローラー３４により装置前面側に設けられた排出口１８から装置本体１２の前面側に向けて排出される。
【００３３】
＜＜＜ギャップ調整手段及び切換部材について＞＞＞
次いで、図４ないし図１８を参照して、ギャップ調整手段５２及び切換部材５４について説明する。図４に示すように、キャリッジ３２は、装置高さ方向上方側に開口した箱状の筐体３２ａを備えている。筐体３２ａの装置奥行き方向背面側端部にはギャップ調整手段５２が設けられている。ギャップ調整手段５２は、図１１、図１２及び図２０に示すように筐体３２ａとガイド部材３８との間に介在している。また、後述するように、ギャップ調整手段５２は、ギャップＰＧが変化する方向である装置高さ方向に筐体３２ａを変位させるように構成されている。図５及び図６を参照するに、ギャップ調整手段５２は、摺動部材５６と、カム部材５８と、規制部材６０と付勢手段６２とを備えている。
【００３４】
＜＜＜摺動部材について＞＞＞
図７に示すように摺動部材５６は、装置幅方向に延びている。摺動部材５６の上部には、カム部材５８の階段状のカム部６６と係合する複数の係合部５６ａが装置幅方向に間隔をおいて設けられている。
【００３５】
また、図２０に示すように摺動部材５６の装置幅方向両端部の底部には、ガイド部材３８のガイド面３８ａと当接して摺動部材５６をガイド部材３８に対して摺動させる第１摺動部５６ｂが設けられている。また、図１１、図１２及び図１４に示すように摺動部材５６の装置奥行き方向前面側には、ガイド部材３８のガイド面３８ｂと当接して摺動部材５６をガイド部材３８に対して摺動させる第２摺動部５６ｃが設けられている。また、再度、図７を参照するに摺動部材５６の装置幅方向両端部には、キャリッジ３２の筐体３２ａと当接し、該筐体３２ａに対してギャップ調整手段５２の装置幅方向の動きを規制する規制部５６ｄが設けられている。
【００３６】
また、摺動部材５６には、規制部材６０を受け入れる受け入れ部６４が形成されている。受け入れ部６４は、装置幅方向に沿って複数の受け入れ領域を有し、一例として第１受け入れ領域６４ａ、第２受け入れ領域６４ｂ、第３受け入れ領域６４ｃ、第４受け入れ領域６４ｄを備えている。
【００３７】
＜＜＜カム部材について＞＞＞
次いで図８及び図９を参照して、カム部材５８について説明する。カム部材５８は、装置幅方向に延びている。そして、カム部材５８は、摺動部材５６と筐体３２ａとの間に介在した状態において装置幅方向及び装置高さ方向に摺動部材５６に対してスライド可能に構成されている。カム部材５８の上面は、キャリッジ３２の筐体３２ａに設けられた被支持部３２ｂ（図２０参照）を支持する支持面５８ａとして構成されている。つまり、カム部材５８を摺動部材５６に対してスライド移動させると、装置高さ方向において摺動部材５６に対するカム部材５８の高さが変化し、筐体３２ａの媒体支持部材５０に対する高さ、つまりギャップＰＧを変化させることができる。
【００３８】
また、図９に示すようにカム部材５８において装置奥行き方向前面側、つまり、摺動部材５６と対向する側には、複数の階段状のカム部６６が装置幅方向に間隔をおいて設けられている。カム部６６は、ギャップＰＧを維持する維持面として機能する第１段部６６ａと、第２段部６６ｂと、第３段部６６ｃと、第４段部６６ｄと、ギャップＰＧを変化させる第１傾斜部６６ｅと、第２傾斜部６６ｆと、第３傾斜部６６ｇとを備えている。
【００３９】
第１段部６６ａ、第２段部６６ｂ、第３段部６６ｃ、第４段部６６ｄのいずれかが摺動部材５６の係合部５６ａと係合して、ギャップＰＧを規定するとともにギャップＰＧを維持する。また、第１傾斜部６６ｅ、第２傾斜部６６ｆ、第３傾斜部６６ｇは、摺動部材５６に対してカム部材５８がスライドする際、ギャップＰＧを変化させる。尚、カム部６６において各段部６６ａ、６６ｂ、６６ｃ、６６ｄと各傾斜部６６ｅ、６６ｆ、６６ｇとは交互に階段状に配置されている。一例として、係合部５６ａが第４段部６６ｄと係合している状態が最もギャップＰＧが大きい状態であり、係合部５６ａが第３段部６６ｃ、第２段部６６ｂと係合するにつれてギャップＰＧが小さくなり、係合部５６ａが第１段部６６ａと係合している状態が最もギャップＰＧが小さい状態となる。
【００４０】
また、図８に示すようにカム部材５８において装置奥行き方向背面側には、当該背面側に突出する規制部材ガイド部５８ｂが設けられている。規制部材ガイド部５８ｂには、装置奥行き方向に沿って溝部５８ｃが形成されている。また、溝部５８ｃは、カム部材５８に設けられた挿通部５８ｄと連通している。尚、挿通部５８ｄは、規制部材６０の先端側、すなわち後述する規制部６０ｂを受け入れ可能なサイズに設定されている。
【００４１】
また、カム部材５８の支持面５８ａから装置高さ方向上方側に突出する、複数のフック状の係合部５８ｅが装置幅方向に間隔をおいて設けられている。係合部５８ｅは
は、キャリッジ３２の筐体３２ａの一部に掛止されて係合し、カム部材５８が筐体３２ａから脱落しないようにＺ軸方向における変位を規制している。
【００４２】
＜＜＜規制部材について＞＞＞
次いで、図１０を参照して、規制部材６０について説明する。規制部材６０は、装置奥行き方向に沿って延びている。規制部材６０の下部には、カム部材５８の規制部材ガイド部５８ｂの溝部５８ｃに嵌るガイド部６０ａが形成されている。また、規制部材６０の装置奥行き方向前面側、すなわち先端側は、規制部６０ｂとして構成されている。規制部６０ｂは、摺動部材５６の受け入れ部６４に受け入れられるように構成されている。また、規制部材６０の装置奥行き方向背面側には、付勢手段６２の一端と当接する当接部６０ｃが形成されている。また、規制部材６０は、後述する切換部材５４と係合する係合部６０ｄを備えている。係合部６０ｄは装置奥行き方向前面側から背面側に向かって規制部材６０の装置幅方向における太さが太くなるように傾斜した傾斜面として構成されている。
【００４３】
また、図５及び図６を再度参照するに、付勢手段６２は、一例として圧縮コイルばねとして構成されている。そして、図５に示すように付勢手段６２の一端は、規制部材６０の当接部６０ｃに接続されている。また、付勢手段６２の他端は、カム部材５８の規制部材ガイド部５８ｂに接続されている。そして、規制部材６０はカム部材５８の規制部材ガイド部５８ｂに装置奥行き方向に沿って進退可能に取り付けられている。
【００４４】
付勢手段６２は、規制部材６０を装置奥行き方向前面側に付勢している。そして、規制部材６０が切換部材５４と係合していない場合には、規制部材６０の規制部６０ｂは、カム部材５８の挿通部５８ｄから突出した状態となっている。また、付勢手段６２は、規制部材６０の規制部６０ｂが摺動部材５６の受け入れ部６４に受け入れられている状態で摺動部材５６を装置奥行き方向前面側に付勢している。
【００４５】
つまり、付勢手段６２により摺動部材５６の第２摺動部５６ｃはガイド面３８ｂに向けて付勢されている。したがって、ギャップ調整手段５２、ひいてはキャリッジ３２をガイド面３８ｂにむけて付勢された状態で装置幅方向に移動させることができるので、キャリッジ３２の移動時における装置奥行き方向の位置を安定させることができる。
【００４６】
＜＜＜切換部材について＞＞＞
次いで、図１１及び図１２を参照して切換部材５４について説明する。切換部材５４は、揺動軸５４ａ（図５参照）を支点として回動可能に構成されている。そして、切換部材５４の先端は、ギャップ調整手段５２の規制部材６０の係合部６０ｄと係合可能な被係合部５４ｂとして構成されている。被係合部５４ｂは、図１４に示すように切換部材５４の先端部分の装置幅方向両側に、規制部材６０の係合部６０ｄに対応する傾斜面として形成されている
【００４７】
ここで、ガイド部材３８には、切換部材５４の被係合部５４ｂを受け入れられる大きさの開口部３８ｃ（図３参照）が設けられている。切換部材５４は、図１１に示すようにガイド部材３８においてキャリッジ３２の装置幅方向への移動に伴うギャップ調整手段５２の移動領域から退避した退避姿勢と、図１２に示すように被係合部５４ｂが開口部３８ｃを通り抜けてギャップ調整手段５２の移動領域内に進出した切換姿勢とを切換え可能である。
【００４８】
＜＜＜ギャップ調整手段の切換動作について＞＞＞
次いで、図５、図１３ないし図１８を参照してギャップ調整手段５２における切換動作について説明する。図５において、ギャップ調整手段５２は切換部材５４と離間した状態にある。この状態では、規制部材６０の規制部６０ｂは、付勢手段６２の付勢力により、挿通部５８ｄから突出し、摺動部材５６の受け入れ部６４に受け入れられている。
【００４９】
図１３に示すように、キャリッジ３２を装置幅方向左方（＋Ｘ軸方向側）に移動させると、ギャップ調整手段５２も同じ方向に移動する。そして、図１３及び図１４に示すように切換部材５４が切換姿勢を取っている場合、ギャップ調整手段５２の規制部材６０の係合部６０ｄと切換部材５４の被係合部５４ｂとが接触して係合する。尚、以下の説明では、図１５に示すように摺動部材５６の係合部５６ａがカム部材５８のカム部６６の第２段部６６ｂを支持している状態から第１段部６６ａを支持する状態への切換を例として説明する。
【００５０】
図１４において、規制部材６０の規制部６０ｂは、摺動部材５６の受け入れ部６４の第２受け入れ領域６４ｂに受け入れられている。図１４の状態では、係合部６０ｄと被係合部５４ｂとが接触しただけであり、規制部材６０は、付勢手段６２の付勢力に抗して装置奥行き方向に変位していない状態である。
【００５１】
ここで、受け入れ部６４とカム部６６との関係について説明する。カム部６６の第１段部６６ａが係合部５６ａに支持されている状態では、規制部６０ｂは第１受け入れ領域６４ａに受け入れられている。また、カム部６６の第２段部６６ｂが係合部５６ａに支持されている状態では、規制部６０ｂは第２受け入れ領域６４ｂに受け入れられ、カム部６６の第３段部６６ｃが係合部５６ａに支持されている状態では、規制部６０ｂは第３受け入れ領域６４ｃに受け入れられ、カム部６６の第４段部６６ｄが係合部５６ａに支持されている状態では、規制部６０ｂは第４受け入れ領域６４ｄに受け入れられている。
【００５２】
つまり、第１段部６６ａには第１受け入れ領域６４ａが対応し、第２段部６６ｂには第２受け入れ領域６４ｂが対応し、第３段部６６ｃには第３受け入れ領域６４ｃが対応し、第４段部６６ｄには第４受け入れ領域６４ｄが対応している。
【００５３】
ここで、カム部６６の第１段部６６ａ、第２段部６６ｂ、第３段部６６ｃ、第４段部６６ｄの装置幅方向における長さは、図１５に示すようにそれぞれＬ１、Ｌ２、Ｌ３及びＬ４に設定されている。一方で、受け入れ部６４の第１受け入れ領域６４ａ、第２受け入れ領域６４ｂ、第３受け入れ領域６４ｃ、第４受け入れ領域６４ｄの装置幅方向における長さは、それぞれＷ１、Ｗ２、Ｗ３及びＷ４に設定されている。そして、一例としてＷ１はＬ１以下の長さに設定されており、Ｗ２はＬ２以下、Ｗ３はＬ３以下、Ｗ４はＬ４以下に設定されている。
【００５４】
したがって、図１５に示すように、第２受け入れ領域６４ｂに受け入れられている規制部材６０の規制部６０ｂは、装置幅方向において摺動部材５６に対して長さＷ２の範囲内でのみ相対移動可能である。そして、第２受け入れ領域６４ｂの装置幅方向における長さＷ２は、対応するカム部６６の第２段部６６ｂの装置幅方向における長さＬ２以下であるので、規制部６０ｂが装置幅方向において第２受け入れ領域６４ｂ内で変位しても、係合部５６ａは、装置幅方向において第２段部６６ｂ内でのみ変位する。したがって、係合部５６ａが第２段部６６ｂから外れて第１傾斜部６６ｅあるいは第２傾斜部６６ｆに変位することを防止できる。
【００５５】
つまり、装置高さ方向において摺動部材５６とカム部材５８との高さ関係の変化を防止できるので、不用意にギャップＰＧが変化することを防止できる。
【００５６】
次いで、キャリッジ３２をさらに装置幅方向左方に移動させると、規制部材６０の係合部６０ｄは、切換部材５４の被係合部５４ｂに押し付けられて、傾斜面である被係合部５４ｂに沿って図１４から図１６に示す様に変位する。即ち規制部材６０は、付勢手段６２の付勢力に抗して、装置奥行き方向背面側に変位する。これにより、規制部６０ｂが第２受け入れ領域６４ｂから引き抜かれる。つまり、規制部材６０により摺動部材５６とカム部材５８との装置幅方向における相対移動を規制する規制状態が解除されて、摺動部材５６とカム部材５８との装置幅方向における相対移動を許容する許容状態となる。
【００５７】
そして、図１７及び図１８に示すように、規制部材６０の許容状態において、キャリッジ３２をさらに装置幅方向左方に移動させると、規制部材６０を介してカム部材５８が切換部材５４に押圧されるので、カム部材５８は摺動部材５６に対して相対移動する。これにより、図１８に示すように係合部５６ａは、第２段部６６ｂから第１傾斜部６６ｅを経て第１段部６６ａに移動する。そして、装置高さ方向において摺動部材５６の第１摺動部５６ｂからカム部材５８の支持面５８ａまでの高さが低くなる方向に変化する。その結果、ギャップＰＧが小さくなる。
【００５８】
また、摺動部材５６とカム部材５８との相対移動に伴って、規制部材６０の規制部６０ｂは、装置幅方向において第２受け入れ領域６４ｂに対応する位置から第１受け入れ領域６４ａに対応する位置に移動する。この状態で、キャリッジ３２を装置幅方向右方（−Ｘ軸方向側）に変位させると、規制部材６０は付勢手段６２の付勢力により、装置奥行き方向前面側に変位する。これにより、規制部６０ｂが第１受け入れ領域６４ａ内に入り込む。そして、規制部材６０により、摺動部材５６とカム部材５８との装置幅方向における相対移動が規制される規制状態となる。
【００５９】
つまり、規制部材６０が切換部材５４に押し付けられて規制部材６０が装置奥行き方向背面側に変位した状態（許容状態）においてのみ、摺動部材５６とカム部材５８との装置幅方向における相対移動は許容され、規制部材６０と切換部材５４とが非接触の状態では、規制部６０ｂが受け入れ部６４の第１受け入れ領域６４ａ、第２受け入れ領域６４ｂ、第３受け入れ領域６４ｃ及び第４受け入れ領域６４ｄのいずれかに受け入れられているので、摺動部材５６とカム部材５８との装置幅方向における相対移動が規制される。したがって、摺動部材５６に対するカム部材５８の意図しないスライド動作を抑制でき、意図しないギャップＰＧの切り換わりを抑制できる。
【００６０】
また、上記説明では、一例として係合部５６ａの第２段部６６ｂから第１段部６６ａまでの切換動作を説明したが、係合部５６ａが第４段部６６ｄを支持している状態（ギャップＰＧが最大の状態）から第１段部６６ａを支持している状態（ギャップＰＧが最小の状態）までの切換動作は、切換部材５４に対して規制部材６０を装置幅方向右方側（−Ｘ軸方向側）から押圧した状態でキャリッジ３２を装置幅方向左方側（＋Ｘ軸方向側）に移動させることで、順次行われる。
【００６１】
また、逆に係合部５６ａが第１段部６６ａを支持している状態（ギャップＰＧが最小の状態）から第４段部６６ｄを支持している状態（ギャップＰＧが最大の状態）までの切換動作は、キャリッジ３２を装置幅方向において切換部材５４が設けられている位置を通過させた後、切換部材５４を退避姿勢から切換姿勢に切換え、規制部材６０を装置幅方向左方側（＋Ｘ軸方向側）から切換部材５４に押圧させた状態でキャリッジ３２を装置幅方向右方側（−Ｘ軸方向側）に移動させることで、順次行われる。
【００６２】
また、キャリッジ３２の移動動作により規制部材６０の規制状態と許容状態とを切換えるので、キャリッジ３２のギャップ切換動作と別に規制部材６０の規制解除動作をしなくともよく、ギャップ切換動作の動作時間が長くなることを抑制できる。
【００６３】
＜＜＜キャップユニットについて＞＞＞
次いで、図３、図１９ないし図２２を参照して、キャップユニット６８について説明する。図３を参照するに、キャリッジ３２は、キャリッジ駆動手段４０によりガイド部材３８に案内されて装置幅方向に往復動可能に構成されている。そして、一例として、キャリッジ３２が装置幅方向右端部に位置する状態が、プリンター１０におけるホームポジションに設定されている。
【００６４】
図１９に示すように、キャリッジ３２のホームポジションにおいてキャリッジ３２の下方には、キャップユニット６８が設けられている。キャップユニット６８は、キャップ部６８ａを備えている。キャップ部６８ａは、係合部６８ｂと、ガイドピン６８ｃを備えている。そして、キャップユニット６８には、装置幅方向に延びるガイド溝６８ｄが設けられている。ガイドピン６８ｃは、ガイド溝６８ｄに受け入れられている。そして、キャップ部６８ａは、ガイドピン６８ｃがガイド溝６８ｄにガイドされて、キャップユニット６８に対して装置幅方向にスライドしつつ、装置高さ方向に変位するように構成されている。
【００６５】
ここで、図２１に示すようにキャリッジ３２がホームポジション側に移動すると、キャリッジ３２の筐体３２ａの少なくとも一部がキャップ部６８ａの係合部６８ｂと接触する。そして、キャリッジ３２がさらにホームポジション側に移動すると、筐体３２ａが係合部６８ｂを押圧して、キャップ部６８ａがキャリッジ３２の移動方向に移動する。この際、キャップ部６８ａはガイド溝６８ｄに沿ってキャリッジ３２の移動方向に対して斜め上方側にスライド移動する。
【００６６】
その結果、キャップ部６８ａは、装置高さ方向下方側からキャリッジ３２の記録ヘッド４８に押し当たって、記録ヘッド４８をキャップするとともに記録ヘッド４８、ひいてはキャリッジ３２を装置高さ方向上方側に持ち上げる。
【００６７】
ここで、図２０は、キャップ部６８ａによりキャリッジ３２の筐体３２ａが持ち上げられていない状態におけるギャップ調整手段５２の状態を示している。この状態では、摺動部材５６は、カム部材５８を介してキャリッジ３２の筐体３２ａの自重を受けているので、摺動部材５６とカム部材５８とは接触した状態を維持している。
【００６８】
一方、図２２に示すように、記録ヘッド４８がキャップ部６８ａにより装置高さ方向に押し上げられると、筐体３２ａも装置高さ方向に持ち上げられる。その結果、筐体３２ａとともにカム部材５８も係合部５８ｅを介して装置高さ方向上方側に持ち上げられる。一方で、摺動部材５６は、筐体３２ａに対して装置高さ方向には拘束されておらず、変位可能であることから、筐体３２ａ及びカム部材５８が装置高さ方向上方側に持ち上げられると、摺動部材５６に対してキャリッジ３２の荷重が掛からず、摺動部材５６はガイド部材３８のガイド面３８ａ上に載置された状態となる。
【００６９】
これにより、カム部材５８のカム部６６と摺動部材５６の係合部５６ａとが離間した状態となる。ところで、この状態において、規制部材６０の規制部６０ｂは、摺動部材５６の受け入れ部６４に受け入れられている状態、すなわち規制状態を維持しているので、カム部材５８が摺動部材５６に対して意図せずにスライドすることを抑制できる。その結果、キャリッジ３２の記録ヘッド４８がキャップされた状態においても、意図せずにギャップＰＧが切り換わることを抑制できる。
【００７０】
＜＜＜実施例の変更例＞＞＞
本実施例では、ギャップ調整手段５２は、カム部材５８に規制部材６０を摺動部材５６の受け入れ部６４に対して進退可能に設けて、規制部材６０を切換部材５４に押圧させることによりカム部材５８を摺動部材５６に対して装置幅方向及び装置高さ方向に相対移動させる構成としたが、この構成に加えて、図２３及び図２４に示すスライダ部材７０を設けてもよい。スライダ部材７０は、カム部材５８に対して装置幅方向にスライド移動可能に構成されている。そして、スライダ部材７０を装置幅方向に移動させると、カム部材５８は摺動部材５６及びスライダ部材７０に対して装置幅方向及び装置高さ方向にスライドするように構成されている。以下、具体的に説明する。
【００７１】
図２３に示すようにスライダ部材７０には、規制部材ガイド部７０ａと、挿通部７０ｂと、装置幅方向に延びるガイド溝７０ｃと、装置幅方向及び装置高さ方向に傾斜して延びている長穴７０ｄとが形成されている。規制部材ガイド部７０ａには規制部材６０と、付勢手段６２とが取り付けられている。そして、規制部材６０の規制部６０ｂが摺動部材５６の受け入れ部６４に対して進退可能に構成されている。
【００７２】
また、図２４に示すように摺動部材５６には、装置奥行き方向背面側に突出するガイドピン５６ｅが設けられている。そして、ガイド溝７０ｃには、ガイドピン５６ｅが遊挿されている。これにより、スライダ部材７０は、摺動部材５６に対して装置幅方向に相対移動させることができる。また、カム部材５８には、規制部材ガイド部５８ｂを設けない代わりに、装置奥行き方向背面側に突出する係合ピン５８ｆが設けられている。係合ピン５８ｆは長穴７０ｄに遊挿されている。
【００７３】
ここで、スライダ部材７０は、摺動部材５６に対してスライドする際、装置幅方向においてスライドし、装置高さ方向にはスライドしないように構成されている。そして、規制部材６０の許容状態において、スライダ部材７０を摺動部材５６に対して装置幅方向にスライドさせると、ガイドピン５６ｅがガイド溝７０ｃに沿って移動するとともに、長穴７０ｄに遊挿されたカム部材５８の係合ピン５８ｆが長穴７０ｄに沿って案内される。その結果、カム部材５８は摺動部材５６及びスライダ部材７０に対して装置幅方向にスライドするとともに装置高さ方向にもスライドする。
【００７４】
この構成によれば、カム部材５８が摺動部材５６に対して装置幅方向及び装置高さ方向に相対移動しても、スライダ部材７０は装置幅方向にスライド移動するだけであり、装置高さ方向には変位しない。その結果、装置高さ方向における切換部材５４の被係合部５４ｂと規制部材６０の係合部６０ｄとの当接位置が変位しないので、装置高さ方向における被係合部５４ｂ及び係合部６０ｄのサイズを小さくすることができる。これにより、プリンター１０の装置高さ方向におけるサイズの小型化を図ることができる。
【００７５】
上記説明をまとめるとプリンター１０は、媒体に記録を行う記録ヘッド４８を備え、当該記録ヘッド４８の走査方向である装置幅方向に移動可能なキャリッジ３２と、キャリッジ３２を走査方向である装置幅方向にガイドするガイド部材３８と、キャリッジ３２の筐体３２ａとガイド部材３８との間に介在し、媒体を支持する支持面である媒体支持部材５０と記録ヘッド４８との間のギャップＰＧが変化する方向である装置高さ方向にキャリッジ３２の筐体３２ａを変位させる、キャリッジ３２に設けられたギャップ調整手段５２と、キャリッジ３２の移動動作に伴うギャップ調整手段５２の移動領域に対して進退可能であり、移動領域に進出することによりギャップ調整手段５２と係合し、ギャップ調整手段５２にギャップ切り換えを実行させる切換部材５４とを備えている。ギャップ調整手段５２は、ガイド部材３８に対して摺動する摺動部材５６と、筐体３２ａの一部と摺動部材５６との間に介在し、筐体３２ａと摺動部材５６に対して走査方向である装置幅方向に相対的にスライドすることによりキャリッジ３２の筐体３２ａをギャップＰＧが変化する方向に変位させる形状を備えたカム部材５８と、カム部材５８の筐体３２ａ及び摺動部材５６に対する相対的な変位を規制する規制状態と、カム部材５８の筐体３２ａ及び摺動部材５６に対する相対的な変位を許容する許容状態と、を切り換え可能であり、少なくとも切換部材５４と係合しない状態では規制状態に保持される規制部材６０とを備える。
【００７６】
上記構成によれば、摺動部材５６と、カム部材５８と、を備えて構成されたギャップ調整手段５２は、キャリッジ３２の筐体３２ａ及び摺動部材５６に対するカム部材５８の相対的な変位を規制する規制部材６０を備えるので、カム部材５８に対してキャリッジ３２の荷重が最大限掛からない状態であっても、カム部材５８の意図しないスライド動作（キャリッジ３２の筐体３２ａ及び摺動部材５６に対する相対的なスライド動作）、即ち意図しないギャップＰＧの切り換わりを抑制できる。
【００７７】
規制部材６０は、付勢手段６２によって規制状態に向けて付勢されている。この構成によれば、カム部材５８の意図しないスライド動作（キャリッジ３２の筐体３２ａ及び摺動部材５６に対する相対的なスライド動作）、即ち意図しないギャップＰＧの切り換わりを、より確実に防止できる。
【００７８】
摺動部材５６は、規制部材６０を受け入れる受け入れ部６４をギャップＰＧの段階毎に備え、規制部材６０が、カム部材５８に形成された挿通部５８ｄを通って受け入れ部６４に入り込むことにより、カム部材５８の筐体３２ａ及び摺動部材５６に対する相対的な変位を規制する。この構成によれば、簡易な構造で、カム部材５８を摺動部材５６に対して固定することができる。
【００７９】
規制部材６０は、カム部材５８に設けられているとともに、切換部材５４と係合する係合部６０ｄを備え、規制部材６０が切換部材５４と係合した状態でキャリッジ３２が移動することにより、規制部材６０がカム部材５８をスライドさせる構成を備える。この構成によれば、規制部材６０が、切換部材５４と係合してカム部材５８をスライドさせる機能を担うので、切換部材５４と係合してカム部材５８をスライドさせる専用の部材を別途設ける必要がなく、部品点数の抑制により装置のコストアップを抑制できる。
【００８０】
係合部６０ｄは傾斜面を有し、切換部材５４に傾斜面が当接した状態でキャリッジ３２が移動することにより、規制部材６０が規制状態から許容状態に切り換わる構成を備える。この構成によれば、キャリッジ３２の移動動作によって規制部材６０の状態切り換えを行うことができ、規制部材６０の状態切り換えを行う専用の動力源が不要となり、部品点数の抑制により装置のコストアップを抑制できる。
【００８１】
記録ヘッド４８をキャップするキャップ部６８ａを有するキャップユニット６８を備え、キャップユニット６８は、キャリッジ３２の移動方向に沿って移動することにより、キャップ部６８ａが記録ヘッド４８に対して進退動作するとともに、キャリッジ３２によって押されることにより、キャップ部６８ａが記録ヘッド４８に押し当たる構成を有する。
【００８２】
上記構成によれば、キャップ部６８ａが記録ヘッド４８をキャップした状態で記録ヘッド４８が動く期間が形成される構成であり、即ちカム部材５８に対してキャリッジ３２の荷重が最大限掛からない状態でキャリッジ３２が動作する期間が形成される構成である為、カム部材５８の意図しない動き（キャリッジの筐体３２ａ及び摺動部材５６に対するカム部材５８の相対的なスライド動作）が生じる虞があるが、規制部材６０によってカム部材５８の変位が規制されるので、上述の問題を回避できる。
【００８３】
また、本実施形態では本発明に係る規制部材６０を記録装置の一例としてのインクジェットプリンターに適用したが、その他液体噴射装置一般に適用することも可能である。  
ここで、液体噴射装置とは、インクジェット式記録ヘッドが用いられ、該記録ヘッドからインクを吐出して被記録媒体に記録を行うプリンター、複写機及びファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含むものである。
【００８４】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【００８５】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００８６】
１０…プリンター、１２…装置本体、１４…スキャナ部、１６…操作パネル、１８…排出口、２０…媒体収容部、２２…媒体搬送経路、２４…ピックアップローラー、２６…反転ローラー、２８ａ…従動ローラー、２８ｂ…従動ローラー、３０…搬送ローラー対、３２…キャリッジ、３２ａ…筐体、３２ｂ…被支持部、３４…排出ローラー、３６…回動軸、３８…ガイド部材、３８ａ、３８ｂ…ガイド面、３８ｃ…開口部、４０…キャリッジ駆動手段、４２…駆動プーリー、４４…従動プーリー、４６…駆動ベルト、４８…記録ヘッド、５０…媒体支持部材、５２…ギャップ調整手段、５４…切換部材、５４ａ…揺動軸、５４ｂ…被係合部、５６…摺動部材、５６ａ、５８ｅ、６０ｄ、６８ｂ…係合部、５６ｂ…第１摺動部、５６ｃ…第２摺動部、５６ｄ、６０ｂ…規制部、５６ｅ…ガイドピン、５８…カム部材、５８ａ…支持面、５８ｂ、７０ａ…規制部材ガイド部、５８ｃ…溝部、５８ｄ、７０ｂ…挿通部、５８ｆ…係合ピン、６０…規制部材、６０ａ…ガイド部、６０ｃ…当接部、６２…付勢手段、６４…受け入れ部、６４ａ…第１受け入れ領域、６４ｂ…第２受け入れ領域、６４ｃ…第３受け入れ領域、６４ｄ…第４受け入れ領域、６６…カム部、６６ａ…第１段部、６６ｂ…第２段部、６６ｃ…第３段部、６６ｄ…第４段部、６６ｅ…第１傾斜部、６６ｆ…第２傾斜部、６６ｇ…第３傾斜部、６８…キャップユニット、６８ａ…キャップ部、６８ｃ…ガイドピン、６８ｄ…ガイド溝、７０…スライダ部材、７０ｃ…ガイド溝、７０ｄ…長穴、Ｐ…媒体、ＰＧ…ギャップ
【図１】
2018016003.tif 000003
【図２】
2018016003.tif 000004
【図３】
2018016003.tif 000005
【図４】
2018016003.tif 000006
【図５】
2018016003.tif 000007
【図６】
2018016003.tif 000008
【図７】
2018016003.tif 000009
【図８】
2018016003.tif 000010
【図９】
2018016003.tif 000011
【図１０】
2018016003.tif 000012
【図１１】
2018016003.tif 000013
【図１２】
2018016003.tif 000014
【図１３】
2018016003.tif 000015
【図１４】
2018016003.tif 000016
【図１５】
2018016003.tif 000017
【図１６】
2018016003.tif 000018
【図１７】
2018016003.tif 000019
【図１８】
2018016003.tif 000020
【図１９】
2018016003.tif 000021
【図２０】
2018016003.tif 000022
【図２１】
2018016003.tif 000023
【図２２】
2018016003.tif 000024
【図２３】
2018016003.tif 000025
【図２４】
2018016003.tif 000026